(57)【要約】  コイル（３）によって生成された磁束の通路となって磁束がアクチュエータ部材を巡回するように配列されたコア（２）と結合されたコイル（３）を備える少なくとも１つの電磁石（１）の作用で移動可能なアクチュエータ部材（７、８）を備える電磁アクチュエータであって、コイルはケーシング（２０）で被覆される導線の巻き線（２１）を含み、電磁石は、コアが永久磁石によって生成された磁束の通路となって磁束がアクチュエータ部材を巡回するようにコア（２）に対して相対的に配置される少なくとも１つの永久磁石（４）を含む。本発明に従えば、コイルのケーシングは、永久磁石を導線の巻き線（２１）に固定して導線巻き線と永久磁石とがコアに取り付けるのに適する一体型の単一アセンブリを形成するように、永久磁石の少なくとも一部を被覆する。
2008500713.tif 000002
【特許請求の範囲】
【請求項１】
コイル（３）によって生成された磁束の通路となって磁束がアクチュエータ部材を巡回するように配列されたコア（２）と結合された前記コイルを備える少なくとも１つの電磁石（１）の作用で移動可能なアクチュエータ部材（７、８）を備える電磁アクチュエータであって、前記コイルはケーシング（２０）で被覆される導線の巻き線（２１）を備え、前記電磁石は、前記コアが前記永久磁石によって生成された磁束の通路となって磁束が前記アクチュエータ部材を巡回するように前記コア（２）に対して相対的に配置される少なくとも１つの永久磁石（４）を備えるものにおいて、
前記電磁アクチュエータは、
前記コイルの前記ケーシング（２０）が、前記永久磁石（４）を前記導線の巻き線（２１）に固定して前記導線巻き線と前記永久磁石とがコアに取り付けるのに適する一体型のアセンブリを形成するように前記永久磁石の少なくとも一部を被覆する、
ことを特徴とする、電磁アクチュエータ。
【請求項２】
前記ケーシング（２０）が各々前記永久磁石（４）の一端を受けるように配列される突起（２２）を有することを特徴とする、請求項１に記載の電磁アクチュエータ。
【請求項３】
アクチュエータ部材（７、８）と、コア（２）、導線の巻き線（２１）を備えるコイル及び付加的素子（４）を備える電磁石とを組み立てるための方法であって、
該方法は、
前記コイル（３）と前記コア（２）とを一緒に組み立てる前に前記付加的素子を前記コイルに固定するステップを含む、
ことを特徴とする、方法。
【発明の詳細な説明】
【技術分野】
【０００１】
本発明は永久磁石に固定されるコイルを持つ電磁石を備える電磁アクチュエータ及び電磁アクチュエータの組み立て方法に関する。
【背景技術】
【０００２】
永久磁石によって生成された磁束の通路となって磁束がアクチュエータ部材を巡回するように配列されたコアと結合されたコイルを含む少なくとも１つの電磁石の作用で移動可能なアクチュエータ部材を備える電磁アクチュエータは、既知であり、この場合、コイルは、ケーシングで被覆される導線の巻き線を備え、電磁石は、コアが永久磁石によって生成された磁束の通路となって磁束がアクチュエータ部材を巡回するように、コアに対して相対的に配置される少なくとも１つの永久磁石を備えている。
【０００３】
従ってアクチュエータの組立てのためには多数の独立素子を取り扱わなければならないので、組立てを複雑化する。
【発明の開示】
【発明が解決しようとする課題】
【０００４】
本発明は、組立てが単純化された電磁アクチュエータを提供することを目的とする。
【課題を解決するための手段】
【０００５】
本発明によれば、上記のタイプの電磁アクチュエータにおいて、永久磁石を導線の巻き線に固定して導線巻き線と永久磁石とがコアに取り付けるのに適する一体型の単一アセンブリを形成するように、コイルのケーシングが永久磁石の少なくとも一部を被覆するものが提供される。
【０００６】
これによって、取り扱う必要のある独立素子の数が減少し、それによって組立てが単純化される。
【０００７】
本発明は、また、アクチュエータ部材及びコア、導線巻き線を含むコイル及び付加的素子を有する電磁石を含むアクチュエータの組み立てる方法を提供する。この方法は、コイルとコアとを一緒に組み立てる前に付加的素子をコイルに固定するステップを含む。
【０００８】
本発明は、本発明のアクチュエータの部分的に切り取られた斜視図である単一の図面を参照する以下の説明を考慮することにより良く理解できる。
【発明を実施するための最良の形態】
【０００９】
単一の図面を参照すると、本発明のアクチュエータは、各々強磁性体の積層物の積み重ねによって構成されるコア２を含む相互に対面して配置される２つの電磁石１を含む。図において、上部電磁石のコアは鎖線で示される輪郭でしか示されていない。電磁石１は、コア２をオーバーモールドすることによって得られるケース５０の中に統合される。
【００１０】
コア２は各々、ハウジングを形成する凹部によって分離されるブランチを持ち、コイル３はハウジングの中で伸びる。
【００１１】
コア２を構成する積層物は、コアに永久磁石４を挿入できるようにするためにカットされる。コイル３と磁石４とがコアと同一平面の平面Pの断面で示される下部電磁石の場合、これが特に明確に示されている。永久磁石４は、コア２の積層物を対応する数の積層物のパケットを構成する３つの独立した部分に細分する。
【００１２】
アクチュエータは、また、下部電磁石１のコア２の中央ブランチのインサートに滑動可能に取り付けられるプッシャ７を含む。プッシャ７は、アクチュエータ素子例えば内燃機関の進入弁または排出弁と協働するためにケース５０から突き出る自由端を有し、プッシャ７の他方の端は電磁石１の間に伸びる電機子８に固定される。
【００１３】
アクチュエータの動作中、電機子８は、選択的に電機子を引き付ける電磁石１及び実質的に両端ポジションの中間にある平衡ポジションに向かってプッシャ７を戻すためにプッシャに作用するばね（図には示されていない）の両方の効果の下で、電磁石１のコア２のどちらかと電機子８が接する２つの両端ポジションの間で移動する。
【００１４】
コイル３の各々は、導線の巻き線２１を被覆するケーシング２０を有する。ケーシング２０は導線２１を保護し、導線と対応するコア２との間に電気接触を与える。ケーシング２０は、また、コイル３と対応するコア２との間の熱交換面積を増大することによってこれら２つの素子の間の熱連続性を向上させるのにも役立つ。
【００１５】
本発明に従えば、ケーシング２０は、永久磁石４の端を受けるために伸びる突起２２を有する。突起２２は、コイルと磁石とが一緒になって一体型の単一アセンブリを形成するように、永久磁石４をコイルに固定する。
【００１６】
ケーシング２０及びコイルの突起２２は、成形によって同時に得られることが望ましい。このために、導線巻き線２１と永久磁石４は１つの鋳型の中に入れられ、硬化したらケーシング２０と突起２２を形成するように、非導体材料（例えば、ポリマー）が鋳型に注入される。
【００１７】
アクチュエータの組み立て中、すでに一緒に組み立てられている積層物のパケットが鋳型に入れられ、非強磁性体（例えば、アルミニウム）が鋳型に注入されて、材料が硬化したら、アクチュエータのケース５０を構成するハーフケースのうちの１つを形成する。積層物のパケットは、このようにして相互に固定されて、電磁石のうちの１つのコアを形成する。
【００１８】
その後、コイルと磁石とによって構成される一体型の単一アセンブリは、ハーフケースに挿入される。これによって、本発明のアクチュエータの組立ては特に単純化される。
【００１９】
本発明は、上記の特定の実施態様に限定されず、逆に特許請求の範囲によって定義されるとおり本発明の範囲内となる変形を包括する。
【００２０】
特に、図に示されるアクチュエータは２つの電磁石を持つが、本発明は、１つしか電磁石を持たないアクチュエータにも応用される。
【００２１】
突起は永久磁石の一部（特に図に示される例においては磁石の端）のみを被覆するように述べられているが、ケーシングは、付加的素子全体を被覆することが可能である。
【００２２】
さらに、永久磁石は、突起以外の手段例えばケーシングのボスによって固定することも可能である。
【図１】
2008500713.tif 000003
【国際調査報告】
2008500713.tif 000004
2008500713.tif 000005
2008500713.tif 000006
2008500713.tif 000007
2008500713.tif 000008
2008500713.tif 000009